(57)【要約】【課題】殺菌若しくは抗菌のための薬品を使用しなくても、物品表面において優れた殺菌性若しくは抗菌性を発揮し、且つ抗菌性を長期間保持することを可能とする成形体を提供する。【解決手段】物品表面において殺菌性若しくは抗菌性を発揮させるための成形体において、表面に、高さが２μｍ以上且つ２０μｍ以下である複数の凸部を有する。複数の凸部は、少なくとも二種類以上の形状の凸部を有する。少なくとも二種類以上の形状の凸部は、周期的に配列されている。少なくとも二種類以上の形状のうち少なくとも一種類の形状は、２回回転対称形状又は線対称形状である。例えば、複数の凸部は、四種類の形状の凸部を有する。四種類の形状の凸部は、周期的に配列されている。四種類の形状のうち少なくとも三種類の形状は、２回回転対称形状又は線対称形状である。【選択図】図１
2015160342.tif 000002
【特許請求の範囲】
【請求項１】
物品表面において殺菌性若しくは抗菌性を発揮させるための成形体であって、
表面に、高さが２μｍ以上且つ２０μｍ以下である複数の凸部を有し、
前記複数の凸部は、少なくとも二種類以上の形状の凸部を有し、
前記少なくとも二種類以上の形状の凸部は、周期的に配列されており、
前記少なくとも二種類以上の形状のうち少なくとも一種類の形状は、２回回転対称形状又は線対称形状であることを特徴とする請求項に記載の成形体。
【請求項２】
前記複数の凸部は、形状ごとに、凸部の中心を通過し且つ凸部に内包される最も長い線分である長軸の長さが異なることを特徴とする請求項１に記載の成形体。
【請求項３】
前記複数の凸部の各々は、凸部の中心を通過し且つ前記長軸の延在方向と平行な平面における断面の形状が台形状であることを特徴とする請求項２に記載の成形体。
【請求項４】
前記複数の凸部の各々は、凸部の中心を通過し且つ前記長軸の延在方向と鉛直な平面における断面の形状が蒲鉾形状であることを特徴とする請求項２又は３に記載の成形体。
【請求項５】
前記複数の凸部は、四種類の形状の凸部を有し、
前記四種類の形状の凸部は、周期的に配列されており、
前記四種類の形状のうち少なくとも三種類の形状は、２回回転対称形状又は線対称形状であることを特徴とする請求項１乃至４のいずれか一項に記載の成形体。
【請求項６】
前記複数の凸部は、少なくとも一種類の形状の凸部における前記長軸の長さが、８０μｍ以上且つ１００μｍ以下であることを特徴とする請求項１乃至５のいずれか一項に記載の成形体。
【請求項７】
前記複数の凸部は、少なくとも一種類の形状の凸部における前記長軸の長さが、７０μｍ以上且つ８０μｍ未満であることを特徴とする請求項１乃至５のいずれか一項に記載の成形体。
【請求項８】
前記複数の凸部は、少なくとも一種類の形状の凸部における前記長軸の長さが、６０μｍ以上且つ７０μｍ未満であることを特徴とする請求項１乃至５のいずれか一項に記載の成形体。
【請求項９】
前記複数の凸部は、少なくとも一種類の形状の凸部における前記長軸の長さが、４０μｍ以上且つ６０μｍ未満であることを特徴とする請求項１乃至５のいずれか一項に記載の成形体。
【請求項１０】
前記複数の凸部は、凸部の中心を通過し且つ凸部に内包される最も短い線分である短軸の長さが、３０μｍ以上且つ６０μｍ以下であることを特徴とする請求項１乃至９のいずれか一項に記載の成形体。
【請求項１１】
前記複数の凸部は、菱形状、二等辺三角形状、又は平行四辺形状に配列されていることを特徴とする請求項１乃至１０のいずれか一項に記載の成形体。
【請求項１２】
前記表面に前記複数の凸部を有するシート、フィルム、板、膜、若しくは箔、又はこれらのうち少なくとも１つを粘着、接着、癒着、若しくは貼合した物品であることを特徴とする請求項１乃至１１のいずれか一項に記載の成形体。
【発明の詳細な説明】
【技術分野】
【０００１】
本発明は、殺菌性若しくは抗菌性を有する成形体に関するものであって、特に、殺菌若しくは抗菌のための薬品を用いることのない成形体に関するものである。
【背景技術】
【０００２】
近年、一般家庭やオフィス、医療施設等における衛生環境を向上させることを目的として、様々な工夫が成されている。例えば、住宅設備機器に対しては、殺菌性若しくは抗菌性を付与する方法として、紫外線ランプによる紫外線照射法、オゾン酸化法、次亜塩素酸ナトリウム溶液による洗浄法等による各種方法があり、目的に応じてそれぞれ選択されている。また、家具や商品、特に衛生上殺菌性若しくは抗菌性を必要とするものには、プラスチックシートや樹脂成形体の場合は、薬品等の抗菌剤を樹脂に練り込むことや、表面に塗布することにより、殺菌性若しくは抗菌性を保持させている。また、銀ゼオライト、金属材料を抗菌剤として樹脂に練り込むことや、表面に塗布することにより、同様に殺菌性若しくは抗菌性を付与していた。
【０００３】
しかしながら、紫外線照射法、オゾン酸化法は、紫外線の発生やオゾンの発生のために専用の装置を必要とする。また、殺菌対象となる物品の樹脂表面に変色や劣化を引き起こすことがある。更に、長時間に渡って使用する場合には人体への影響も無視できないという問題を有している。
また、予め樹脂に抗菌剤を溶融混練し、それを素材として利用する場合は、物品の表面にブリードアウトした抗菌剤のみが有効となるため、樹脂内部に存在する抗菌剤はその効果を発揮することができないだけでなく、表面に露出する抗菌剤を多くするために多量に混ぜる必要がある。また、抗菌剤の添加が樹脂の機械的強度、耐候性、耐久性等の物性の低下をもたらす。更に、薬品を用いることによる人体への安全性も考慮する必要があった。
【０００４】
物品に抗菌剤をコーティングする場合は、抗菌剤の殺菌性若しくは抗菌性の効果を有効に保持、発揮させるために、その表面に抗菌剤が高濃度で露出させることが必要となるため、上記と同様に人体への影響が懸念されていた。また、長時間使用するとコーティング面が剥離し、殺菌性若しくは抗菌性が低下、消失してしまうことがある。
有機系の薬品以外の無機物を抗菌剤として樹脂に混練する、若しくは物品表面に塗布する場合であっても、樹脂の物性低下や剥離の問題が生じていた。
【０００５】
なお、殺菌若しくは抗菌のための薬品を用いることのない抗菌性成形体に関する技術として、特許文献１が開示されている。特許文献１に記載の技術は、絶縁性薄膜層上に形成された金属薄膜層から遊離した金属イオンが絶縁性薄膜層に形成された小孔に吸着、貯蔵され、少しずつ基材フィルムの小孔を通り基材フィルムに表面に溶出或いは滲出することにより抗菌性を示すものである。
【先行技術文献】
【特許文献】
【０００６】
【特許文献１】特開平７−２６６４７７号公報
【発明の概要】
【発明が解決しようとする課題】
【０００７】
本発明の目的は、上記のような実情を鑑みて、殺菌若しくは抗菌のための薬品を使用しなくても、物品表面において優れた殺菌性若しくは抗菌性を発揮し、且つ抗菌性を長期間保持することを可能とする成形体を提供することにある。
【課題を解決するための手段】
【０００８】
上記の課題を解決するための手段として、本発明の一態様に係る成形体は、物品表面において殺菌性若しくは抗菌性を発揮させるための成形体であって、表面に、高さが２μｍ以上且つ２０μｍ以下である複数の凸部を有する。ここでいう高さとは、ｚ軸方向に平行で、且つ凸部に内包される最も長い線分のことを指す。また、複数の凸部は、少なくとも二種類以上の形状の凸部を有する。少なくとも二種類以上の形状の凸部は、周期的に配列されている。少なくとも二種類以上の形状のうち少なくとも一種類の形状は、２回回転対称形状又は線対称形状である。
【０００９】
上記の複数の凸部は、形状ごとに長軸の長さが異なる。ここでいう長軸とは、ｘｙ平面において凸部の中心を通過し且つ凸部に内包される最も長い線分のことを指す。
上記の複数の凸部の各々は、凸部の中心を通過し且つ長軸の延在方向と平行な平面における断面の形状が台形状である。なお、完全な台形状に限らず、裾野が広がっている形状や、角や辺が丸みを帯びているような不完全な台形状でも良い。また、凸部の中心を通過し且つ長軸の延在方向と鉛直な平面における断面の形状が蒲鉾形状である。蒲鉾形状とは、板付き蒲鉾の切り口のように、半月形に盛り上がった形状のことである。例えば、蒲鉾形状は、逆Ｕ字形状に対応する。逆Ｕ字形状とは、「Ｕ」の文字を上下反転させた形状「∩」のことである。なお、逆Ｖ字形状も、逆Ｕ字形状の一種とする。
【００１０】
上記の複数の凸部は、四種類の形状の凸部を有する。四種類の形状の凸部は、周期的に配列されている。四種類の形状のうち少なくとも三種類の形状は、２回回転対称形状又は線対称形状である。
上記の複数の凸部は、少なくとも一種類の形状の凸部における長軸の長さが、８０μｍ以上且つ１００μｍ以下である。若しくは、少なくとも一種類の形状の凸部における長軸の長さが、７０μｍ以上且つ８０μｍ未満である。若しくは、少なくとも一種類の形状の凸部における長軸の長さが、６０μｍ以上且つ７０μｍ未満である。若しくは、少なくとも一種類の形状の凸部における長軸の長さが、４０μｍ以上且つ６０μｍ未満である。なお、上記の凸部の形状が少なくとも四種類以上であれば、これらの条件を同時に満たすことも可能である。
【００１１】
上記の複数の凸部は、凸部の短軸の長さが３０μｍ以上且つ６０μｍ以下である。ここでいう短軸とは、ｘｙ平面において凸部の中心を通過し且つ凸部に内包される最も短い線分のことを指す。
また、上記の複数の凸部は、菱形状、二等辺三角形状、又は平行四辺形状に配列されていても良い。
本発明の一態様に係る成形体は、表面に上記の表面形状を有するシート、フィルム、板、膜、若しくは箔、又はこれらのうち少なくとも１つを粘着、接着、癒着、若しくは貼合した物品である。なお、表面は、平面に限らず、曲面でも良い。
【発明の効果】
【００１２】
本発明の一態様に係る成形体によれば、表面に、周期的に配列された少なくとも二種類以上の形状の凸部を有し且つ少なくとも二種類以上の凸部の形状のうち少なくとも一種類の形状が２回回転対称形状又は線対称形状である微細な凸部を設けたことにより、物品表面に対する細菌、バクテリア等の初期付着及び付着強化を阻害し、脱離の促進や増殖の抑制等の効果を発揮することで抗菌性を発現することができる。
【図面の簡単な説明】
【００１３】
【図１】本発明の実施形態に係る抗菌性成形体の形状例を示す概略図である。
【図２】上記の抗菌性成形体における微細な凸部の形状例を示す概略図である。
【図３】上記の抗菌性成形体における微細な凸部の配置例を示す正面図である。
【図４】上記の抗菌性成形体における微細な凸部の配置例を示す正面図である。
【図５】上記の抗菌性成形体における微細な凸部の配置例を示す正面図である。
【図６】上記の抗菌性成形体における微細な凸部の配置例を示す正面図である。
【図７】上記の抗菌性成形体における微細な凸部の形状例を示す断面図である。
【図８】上記の抗菌性成形体の表面の形状例を示す断面図である。
【発明を実施するための形態】
【００１４】
以下に、本発明の実施形態について添付図面を参照して説明する。
図１及び図２に、表面に微細な凸部を具備する抗菌性成形体の概略図を示す。図１（ａ）は成形体の形状例を示す斜視図である。図１（ｂ）は成形体の形状例を示す正面図である。図２（ａ）は微細な凸部の形状例を示す正面図である。図２（ｂ）は微細な凸部の形状例を示す断面図である。図中のＨは微細な凸部の高さを示す。また、便宜的にｘｙ平面上に基材が描かれているが、本実施形態において抗菌性を有する成形体の表面が正確な平面であると限定するものではなく、成形体の表面が曲面で構成されていても良い。曲面で構成されている場合にも同様に微細な凸部を具備することで抗菌性を付与することが出来る。
【００１５】
本実施形態に係る抗菌性成形体１は、二種類以上の微細な凸部２が非凸部である略平坦部３を挟んで周期的（規則的）に配列されている。微細な凸部２は、高さが２μｍ以上且つ２０μｍ以下であると好ましい。本実施形態に係る抗菌性成形体１は、微細な凸部２の物理的な作用によって抗菌性を発揮するため、２μｍより小さい凸部２の場合、充分な効果を得られなくなり得るので好ましくない。また、２０μｍより大きい凸部２の場合、振動、衝撃、接触、摩擦等によって微細な凸部２が磨耗、欠損しやすくなり、設計した凸部２の形状及び配列のパターンを維持できなくなった際に、本発明の効果を喪失することがあるため好ましくない。従って、微細な凸部２は適度な高さに調整する必要がある。微細な凸部２の形状及び配列のパターンについては、無数に挙げることが出来るため、特に限定されない。周期的に配列された微細な凸部２は、一定の方向に正確に平行でなくとも好適に使用することが出来る。なお、略平坦部３とは、完全に平坦な領域に限らず、平坦に近い状態の領域でも良いという意味である。すなわち、略平坦部３は、表面に目立った凹凸が無ければ良い。
【００１６】
図３〜図６に、微細な凸部２の形状及び配列の主なパターンの例を示す。但し、実際には、これらの例に限定されない。図３に示したのは、微細な凸部２が二種類である場合の形状及び配列の例である。また、図４〜図６に示したのは、微細な凸部２が四種類である場合の形状及び配列の例である。各図においては、微細な凸部２の底面のみを簡略的に示している。ここでいう微細な凸部２の底面とは、略平坦部３をｘｙ平面に沿って延長した平面における断面のことを指す。以下、同様の断面を底面と呼称する。各図に例示したように、微細な凸部２の底面は、曲線だけで構成されていても良く、直線だけで構成されていても良い。また、曲線と直線の組み合わせで構成されていても良い。
【００１７】
図７に、微細な凸部２の凸部の中心を通過し且つ長軸の延在方向と鉛直な平面における断面の形状の例を示す。但し、実際には、これらの例に限定されない。図７に示したのは、微細な凸部２の断面の形状が蒲鉾形状である場合の例である。ここでいう蒲鉾形状とは、半円形状、半楕円形状、正方形または長方形と半円形状の組み合わせ、正方形または長方形と半楕円形状の組み合わせのいずれかのことを指す。
【００１８】
微細な凸部２の配列のパターンについて更に説明する。
本実施形態に係る抗菌性成形体１は、複数種類の形状の微細な凸部２が周期的に配列されており、配置繰り返し単位（配列パターンの最小単位）が並列するように構成される。図４に、配置繰り返し単位が菱形状となる場合を示す。図５に、配置繰り返し単位が二等辺三角形状となる場合を示す。図６に、配置繰り返し単位が平行四辺形状となる場合を示す。
【００１９】
但し、上述した説明は、本実施形態に係る抗菌性成形体１における微細な凸部２の形状及び配列を、図示した形状及び配列だけに限定するものではない。
本実施形態に係る抗菌性成形体１は、面内の微細な凸部２が必ずしも一定である必要はなく、多少の形状ばらつきがあっても好適に使用できる。しかしながら、面内の位置による微細な凸部２の形状の変化があまりに急峻すぎると、抗菌性能が局所的に急変若しくは消失してしまう部位が生じることがあるため、好ましくない。
【００２０】
上記の形状ばらつきの判断指標として、長軸及び短軸の長さに関しては±２％、高さに関しては±５％以内のばらつきについては同一の形状とみなしている。例えば、微細な凸部２として、高さが１０．０μｍの凸部と１０．１μｍの凸部があったとき、高さの異なる二種類の凸部とはみなさず、同一の凸部として考えるものとする。なお、ここでいう長軸とは、ｘｙ平面において微細な凸部２の中心を通過し且つ微細な凸部２に内包される最も長い線分のことを指す。また、ここでいう短軸とは、ｘｙ平面において微細な凸部２の中心を通過し且つ微細な凸部２に内包される最も短い線分のことを指す。
【００２１】
形状ばらつきの要因として、製造工程における精度、温湿度等の使用環境の影響、振動や衝撃等による磨耗等が考えられるが、どの場合であっても上記の基準が適用される。
微細な凸部２の長軸と短軸とのアスペクト比が極端に大きい場合、微細な凸部２に磨耗や欠損が生じやすくなる。また、微細な凸部２のアスペクト比が極端に小さい場合、凸部２に起因する抗菌性能が十分に発揮できないだけでなく、振動、衝撃、接触、摩擦等によって微細な凸部２が磨耗、欠損したときに、微細な凸部２と略平坦部３との差異がなくなってしまうことが起こり得る。従って、微細な凸部２の長軸と短軸とのアスペクト比は適度に調整することが好ましい。
【００２２】
本実施形態に係る抗菌性成形体１に振動、衝撃、接触、摩擦等に起因する圧縮応力若しくは剪断応力が加えられた場合、微細な凸部２が欠損することを抑制又は回避するためには、微細な凸部２は表面に窪みの無い形状であることが好ましい。微細な凸部２の表面は、平面のみで構成されていても良く、曲面のみで構成されていても良い。また、平面と曲面の組み合わせであっても良い。また、微細な凸部２間には隙間を有していても良いし、微細な凸部２同士が接していても良い。
【００２３】
更に、本実施形態に係る抗菌性成形体１は、略平坦部３を有している。ここで、面内における微細な凸部２の占める面積率が極端に小さくなると、抗菌性能の低下を引き起こす。従って、本実施形態に係る優位性を十分に発揮するためには、微細な凸部２の占める面積率は５０％以上であることが好ましい。
本実施形態における略平坦部３及びｘｙ平面は、幾何学的に厳密な平坦でなくとも良い。例えば、本実施形態に係る抗菌性成形体１の表面が曲面であった場合、その曲面全体を略平坦とみなす。比較のため、図８（ａ）に、抗菌性成形体１の表面が平面である場合の断面図を示す。また、図８（ｂ）に、抗菌性成形体１の表面が曲面である場合の断面図を示す。
【００２４】
本実施形態に係る抗菌性成形体１は、物品表面の全面において微細な凸部２が具備されていることが最も好ましいが、面内の一部に微細な凸部２が具備されているならば充分に優位性を発揮することが出来る。また、物品表面の全面において微細な凸部２が同一であっても良く、部位によって微細な凸部２が異なっていても良い。なお、本実施形態に係る抗菌性成形体１は、高い抗菌性を所望する面にのみ微細な凸部２を具備しなければならないと制限するものではなく、その他の面においても微細な凸部２を具備していても良い。
【００２５】
本実施形態に係る抗菌性成形体１は物品の表面形状に依存するものであり、成形体の材料については特に制限は無い。
抗菌性成形体１を形成する主な材料の例として、ポリカーボネート樹脂やポリスチレン樹脂、フッ素系アクリル樹脂、エポキシアクリレート樹脂、メチルスチレン樹脂、フルオレン樹脂、ポリエチレン樹脂、ポリプロピレン樹脂、ポリウレタン樹脂、ポリメチルペンテン樹脂、ポリブテン樹脂、ポリビニルアルコール、ポリ塩化ビニル、ポリフッ化ビニリデン、ポリアミド、ポリイミド、ポリメチルメタアクリレート、シクロオレフィンポリマー、ポリエチレンテレフタレート（ＰｏｌｙＥｔｈｙｌｅｎｅ  Ｔｅｒｅｐｈｔｈａｌａｔｅ：ＰＥＴ）、ポリエチレンナフタレート、ポリエーテルエーテルケトン、ポリエーテルスルフォン、ポリエーテルエーテルイミド、ポリフェニレンスルファイド、エチレン−酢酸ビニル共重合体、アクリル−スチレン共重合体、スチレン−ブタジエン−アクリロニトリル共重合体、シリコン樹脂、ポリ乳酸、セルロース等、一般的に良く用いられている様々なアクリル樹脂、ポリエステル樹脂、ポリオレフィン樹脂、汎用プラスチック、エンジニアリングプラスチック、スーパーエンジニアリングプラスチック、合成高分子樹脂、天然樹脂、ＵＶ（ＵｌｔｒａＶｉｏｌｅｔ：紫外線）硬化性樹脂、熱硬化性樹脂、熱可塑性樹脂等が挙げられる。
【００２６】
他にも、抗菌性成形体１を形成する主な材料の例として、金、白金、銀、銅、鉄、鉛、亜鉛、錫、チタン、バナジウム、クロム、ニッケル、タングステン、アルミニウム、マグネシウム、半田、鋼、真鍮、ステンレス、ジュラルミン等の金属又は合金や、ガラス、陶磁器、木材、紙、煉瓦、ゴム等が挙げられる。
抗菌性成形体１は、上記の主な材料のみで構成されていても良く、複数の材料を組み合わせても良い。
【００２７】
本実施形態に係る抗菌性成形体１は、従来の抗菌剤（殺菌若しくは抗菌のための薬品）を使用することなく抗菌性を発揮できる特徴を有しているが、従来の抗菌剤の使用を制限するものではない。例えば、抗菌性成形体１を形成する主な材料に従来の抗菌剤を混練することにより、凹凸形状と抗菌剤それぞれの抗菌効果を相乗的若しくは相補的に向上させることが出来る。
【００２８】
本実施形態に係る抗菌性成形体１は、複層構造でもあっても良い。また、本実施形態に係る抗菌性成形体１は、物品の表面形状に依存するものであり、成形体の厚みについては特に制限は無い。
本実施形態に係る抗菌性成形体１の製法例として、エッチング、電子線描画、レーザー描画、レーザー干渉、切削、自己組織化等が挙げられる。また、上記の手法で賦形したものを型、版として使用し、型、版に溶融した各種材料を流し込み、硬化した後に剥離することで型、版の凹凸を転写する方法によっても所望の形状を有する成形体を得ることが出来る。なお、最終的に同一の表面形状を有する成形体を作製できるならば、その作製手段については特に制限は無い。
【００２９】
以上のように作製した成形体は単体で高い抗菌性能を発揮し、表面の物理的な破壊が生じない限りは抗菌効果が劣化、枯渇することがなく、長期に渡って使用できる抗菌製品を提供することが出来る。
【実施例】
【００３０】
（作製方法）
本実施形態による成形体を作製し、作製方法その効果を確認するべく評価を実施した。成形体の製造法として、まず金属ロールの表面を切削することで凹状の形状を賦形し、ＰＥＴフィルム上に金属ブレードで薄層状に塗工したアクリル系のＵＶ硬化樹脂を搬送し、金属ロールとＰＥＴフィルムにＵＶ硬化樹脂が狭圧されるようにしたままＰＥＴフィルム裏面側から紫外線を透過させて照射し、金属ロールからＵＶ硬化樹脂を剥離することによって所望する凸状の形状を得る、という手法を用いた。上記の作製方法で作製した成形体を使用した試験手順及び試験結果を以下に示す。
【００３１】
（試験手順）
ＪＩＳ  Ｚ  ２８０１：２０１０「抗菌加工製品−抗菌性試験方法・抗菌効果」５  試験方法（ＵＲＬ：ｈｔｔｐ：／／ｋｉｋａｋｕｒｕｉ．ｃｏｍ／ｚ２／Ｚ２８０１−２０１２−０１．ｈｔｍｌ）に基づき、抗菌力試験を実施した。菌株には大腸菌（ＮＢＲＣ  ３９７２）を使用している。
【００３２】
具体的な手順として、上記の作製方法で作製した成形体及び同一のＵＶ硬化樹脂を用いて鏡面体を作製し、この鏡面体を５０ｍｍ×５０ｍｍの正方形に断裁した試験片を作製し、エタノールを吸収させた脱脂綿で試験片の全面を軽く拭いた。
乾燥した試験片の上に、生菌数を制御した菌液を０．４ｍＬ滴下し、４０ｍｍ×４０ｍｍに断裁したポリエチレンフィルムを載せることにより、試験片表面上に菌液を薄く広げつつ被覆して乾燥を防ぐ。その状態の試験片を３５℃環境下において２４時間静置する。
試験片を洗い流して回収した菌液を寒天培地にて培養し、希釈した後にコロニー数をカウントすることで元の試験片上の菌数を算出する。
また、同様の手順で３回試験を行い、各試験の平均値を以って抗菌性を判断する。
【００３３】
（試験結果）
表１に、長軸の長さの異なる四種類の微細な凸部２を具備するサンプルと、一種類のみの微細な凸部２を具備するサンプルに関して抗菌力試験を行った結果を記載する。
【００３４】
【表１】
2015160342.tif 000003
【００３５】
長軸の長さに関しては長いものから順にＬ１、Ｌ２、Ｌ３、Ｌ４と、短軸の長さについてはＷと、高さはＨと記述した。従って、実施例１及び２は長軸の長さの異なる四種類の微細な凸部２を具備するサンプルの試験結果であり、比較例１が一種類のみの微細な凸部２を具備するサンプルの試験結果である。また、比較例２は微細な凸部２を具備していない鏡面体であり、これを基準として他のサンプルの抗菌性を決定する。
【００３６】
但し、表１に記載した微細な凸部２のパラメータにおいて、長軸及び短軸の長さに関しては±２％、高さに関しては±５％以内のばらつきについては同一の形状とみなしている。
生菌数は面積１ｃｍ２あたりの菌数とし、表には３回の試験の相加平均を記載している。抗菌活性値は、鏡面体における生菌数の対数値の平均値と成形体における生菌数の対数値の平均値の差であり、一般的に抗菌活性値が２．０以上であれば抗菌性を有するものと認められる。
【００３７】
本試験により、長軸の長さの異なる四種類の微細な凸部２を具備する２サンプルに関しては、充分に抗菌性を発揮していることが判った。
本実施形態に係る抗菌性成形体１は様々な用途において、好適に利用することができる。本実施形態に係る成形体を内部若しくは表面に搭載した物品についても、本実施形態に係る技術的範囲に含まれる。
【産業上の利用可能性】
【００３８】
以下に列挙するのは、本実施形態に係る抗菌性成形体１を利用可能である物品及び容器、外箱の例である。
一般家庭、物置、オフィス、学校、体育館、ロッカー室、病院、医療施設、リハビリテーション施設、調剤室、娯楽施設、スイミングプール、クリーンルーム、ビルジタンク、水処理プラント、ポンプ場、窓、窓枠、シャッター等における壁、床、天井等の内装及び外装に代表される建材全般及びその表面。
【００３９】
スーツ、Ｙシャツ、Ｔシャツ、ネクタイ、ズボン、スカート、下着類、セーター、コート、ドレス、着物、帯、浴衣、バスローブ、ベルト、帽子、ヘルメット、手袋、マフラー、スリッパ、靴、中敷、鞄、バッグ、傘、折り畳み傘、ハンカチ、ハンドタオル、エプロン、眼鏡、髪留め、ぼたん、鍋つかみ、鍋しき、タオル、バスタオル、ナプキン、財布、名刺入れ、カード入れ、指輪、ネックレス、ピアス、イヤリング、アクセサリー、ウォレットチェーン、お守り、数珠に代表される衣類、装飾品及びその表面。
【００４０】
ごみ箱、靴棚、傘立て、箪笥、クローゼット、金庫、ロッカー、本棚、食器棚、コレクションラック、カーテン、ブラインド、補助レール、仕切り、パーテーション、ドア、ドアノブ、ドアロック、回転扉、手すり、机、テーブル、椅子、ソファー、ベンチ、ベッド、米櫃、ワインセラー、鏡台、化粧台、炬燵、ホットカーペット、電気毛布、テレビ、エアコン及びリモコン、録画機、レコーダー、イヤホン、ヘッドホン、コンポ、オーディオ、ステレオ、映写機、プロジェクター、ホームシアター、スピーカー、掃除機、洗濯機、衣類乾燥機、布団乾燥機、空気清浄機、加湿器、除湿器、扇風機、ヒーター、ストーブ、パソコン、タブレット、プリンター、携帯電話、スマートフォン、電話機、ドアフォン、ファクシミリ、冷蔵庫、製氷機、電子レンジ、オーブン、トースター、ホームベーカリー、コーヒーメーカー、ホットプレート、ガスコンロ、電気コンロ、炊飯器、ミキサー、フードプロセッサー、泡だて器、餅つき器、食器洗い機、食器乾燥機、湯沸かし器、ミシン、アイロン、アイロン台、マッサージ器、マッサージチェア、換気扇、浄水器、整水器、電球、蛍光灯、シーリングライト、シャンデリア、外灯に代表される家具類、家電製品及びその表面。
【００４１】
箒、塵取り、はたき、ごみ袋、掃除用具、ハンガー、物干し竿、突っ張り棒、衣装ケース、衣装ボックス、枕、枕カバー、布団、布団カバー、ベッドシーツ、クッション、置時計、壁掛け時計、植木鉢、鍵、薬缶、ポット、体温計、歩数計、充電器、消火器、消火栓、タバコ、葉巻、将棋盤、駒、チェス盤、碁盤、碁石、麻雀卓、麻雀牌、ストラップ、玩具、ぬいぐるみ、人形、フィギュア、懐中電灯、アルバム、写真立て、額縁、化粧品、化粧水、乳液、ベビーカー、買い物袋、買い物籠、爪切り、爪磨き器、耳かき、梯子、脚立に代表される雑貨、日用品及びその表面。
【００４２】
石鹸、石鹸置き、洗顔料、シャンプー、コンディショナー、歯磨き粉、歯ブラシ、電動歯ブラシ、櫛、ブラシ、シャワー、バスタブ、風呂椅子、洗面器、トイレ、便器、トイレットペーパー、ティッシュペーパー、ティッシュ箱、ストロー、流し台、水道、蛇口、ホース、蛇腹、鏡、シェーバー、ドライヤー、ヘアアイロン、美容器具、体重計、体脂肪計、身長計、ハンドドライヤー、タオル掛け、バスマットに代表される洗面、バス用品及びその表面。
【００４３】
箸、箸置き、割り箸、楊枝、皿、茶碗、丼、小鉢、コップ、タンブラー、酒器、とっくり、おちょこ、急須、茶器、水筒、ミルクポット、シュガーポット、スプーン、フォーク、ナイフ、包丁、まな板、おたま、へら、しゃもじ、トング、マドラー、缶切り、栓抜き、皮むき器、ピーラー、おろし金、計量スプーン、計量カップ、調味料入れ、フライパン、鍋、フライ返し、ボウル、せいろ、ざる、弁当箱、重箱、食品保存容器、お盆、トレイ、コースター、ランチョンマット、レモン絞り、洗剤容器、スポンジ、ラップ、アルミホイル、クッキングシート、キッチンペーパー、布巾、台拭き、キッチンタイマー、製氷皿に代表される食器、キッチン用品及びその表面。
【００４４】
カメラ、デジタルカメラ、スイッチパネル、カーナビ、ディスプレイ、タッチパネル、キーボード、マウス、ケーブル類、延長コード、ハードディスクドライブ、フロッピー（登録商標）ディスク、ＣＤ−ＲＯＭ、ＤＶＤ−ＲＯＭ、ＢＤ−ＲＯＭ、ＳＤカード、ＵＳＢメモリ、デジタルフォトフレーム、家庭用ゲーム機、携帯ゲーム機、電子書籍リーダー、電子辞書、電卓、レジスター、コピー機、シュレッダー、アーケードゲーム筐体、パチンコ台、パチスロ台、パチンコ玉、火災報知器、変圧器、暗視ゴーグル、放射線測定器、線量計、プロペラ、吸気設備、排気設備、電動自転車、自転車、自動車、バイク、船舶、潜水艦、電車、貨物列車、飛行機、ヘリコプター、ロケット、宇宙船、台車、ハンドリフター、エレベーターとそのスイッチ類、エスカレーターとその手すり、券売機とそのスイッチ類、自動販売機とそのスイッチ類、自動ドアとその開閉スイッチに代表される装置、輸送機及びその表面。
【００４５】
とんかち、ハンマー、たがね、のこぎり、かんな、かすがい、万力、錐、モンキーレンチ、六角レンチ、プライヤー、ドリル、ピンセット、ドライバー、バール、ねじ、くぎ、ボルト、ナット、ワッシャー、鉛筆、ボールペン、シャープペンシル、マジック、定規、メジャー、下敷き、ホッチキス、穴あけパンチ、テープ台、ハサミ、カッター、スティック糊、接着剤、画用紙、プリント用紙、ファイル、折り紙、ノート、手帳、日記帳、アドレス帳、家計簿、ブックカバー、メモ用紙、付箋、葉書、封筒、乾電池、クリップ、輪ゴム、磁石、ペン立て、ペンケース、虫眼鏡に代表される工具、文具、事務用品及びその表面。
【００４６】
紙幣、チケット、クレジットカード、ポイントカード、プリペイドカード、ＩＣカード、パスネットカード、テレホンカード、トレーディングカード、図書カード、キップ、名刺、ちらし、広告、パンフレット、カタログ、ポスター、雑誌、書籍、新聞、カレンダー、地図、切手、通帳、小切手、商品券、宝くじ、有価証券、勝ち馬投票券、レシート、看板、表示板、道路標識に代表される印刷物及びその表面。
【００４７】
レジャーシート、テント、ランプ、パラシュート、ボール、バット、グローブ、ラケット、ゴルフクラブ、カラビナ、ロープ、チョークバッグ、サーフボード、スケートボード、スケートシューズ、スポーツウェア、スポーツシューズ、水着、スイミングキャップ、ウェットスーツ、ゴーグル、足ひれ、ボンベ、ビート板、浮き輪、鉄アレイ、水アレイ、ダンベル、バーベル、エアロバイク、ランニングマシン、トレッドミル、ステップマシン、クロストレーナー、腹筋台、鉄棒、登り棒、雲梯、ぶらんこ、アスレチックに代表される運動器具、スポーツ用品及びその表面。
【００４８】
おむつ、おしゃぶり、哺乳瓶、生理用品、血圧計、脈拍計、エコー心電計、聴診器、顕微鏡、Ｘ線装置や磁気共鳴画像装置等の各種測定機器、手術台、薬用容器、血液バック、コンタクトレンズ、インプラント、カテーテル、ペースメーカー、心臓弁、置換関節、プレート、喉頭鏡、気管支鏡、食道鏡、薬匙、薬包紙、秤、メス、鉗子、杖、松葉杖、包帯、培養器、サプリメント、足つぼ押し器、ぶら下がり健康器に代表される医療、健康用品及びその表面。
【００４９】
紙皿、紙コップ、紙容器、ＰＥＴボトル、缶、瓶、食品用チューブ、レトルト食品、菓子類、弁当容器、パウチ、タッパー、母乳パック、ペットフード包装に代表される飲料、食品包装及びその表面。
消臭剤、芳香剤、防虫剤、除湿剤、ペット用食器類、首輪、リード、銅輪、手綱、鞍、水槽、給餌器、給水器、哺乳器、餌箱、ペット服、ペット玩具、犬小屋、鳥籠、ペットケージに代表される飼育、ペット製品及びその表面。
【００５０】
以上、本発明の実施形態を詳述してきたが、実際には、上記の実施形態に限られるものではなく、本発明の要旨を逸脱しない範囲の変更があっても本発明に含まれる。
【符号の説明】
【００５１】
１…抗菌性成形体、２…微細な凸部、３…略平坦部、１１…長軸、１２…短軸
【図１】
2015160342.tif 000004
【図２】
2015160342.tif 000005
【図３】
2015160342.tif 000006
【図４】
2015160342.tif 000007
【図５】
2015160342.tif 000008
【図６】
2015160342.tif 000009
【図７】
2015160342.tif 000010
【図８】
2015160342.tif 000011